(57)【特許請求の範囲】
【請求項１】
部屋の床に形成された箱体用開口の周縁部に上縁が取り付けられた、上面が開放した箱体と、箱体に設けられた電源コードが接続された機器ボックスと、箱体の底壁に設けられた、差し込みプラグを有する下側ヒーターと、箱体の上方に位置するようにして床に載置されるやぐらと、やぐらの上部下面に設けられた、差し込みプラグを有する上側ヒーターとを有しており、前記機器ボックスの内側面には２個のコンセントが設けられており、前記１つのコンセントに下側ヒーターの差し込みプラグが差し込まれるようになされ、他の１つのコンセントに上側ヒーターの差し込みプラグが差し込まれるようになされ、前記差し込みプラグは３つの差し込み端子を有しており、両差し込みプラグをコンセントに同時に差し込んだ状態においてのみ、下側ヒーター及び上側ヒーターへの通電が可能となり、前記状態以外においては、下側ヒーター及び上側ヒーターの何れへも通電が不能となるようになされている掘ごたつ。
【請求項２】
前記機器ボックス内に両差し込みプラグをコンセントに同時に差し込んだ状態においてのみ、下側ヒーター及び上側ヒーターへの通電が可能となるようにするための所要個のリレーが設けられ、前記両差し込みプラグの２つの差し込み端子が前記リレー用の差し込み端子となされている請求項１記載の掘ごたつ。
【発明の詳細な説明】
【０００１】
【発明の属する技術分野】
本発明は掘ごたつに関する。
【０００２】
【従来の技術】
従来、この種の掘ごたつとして以下の如きものは知られている。即ち、部屋の床に形成された箱体用開口の周縁部に上縁が取り付けられた、上面が開放した箱体と、箱体に設けられた電源コードが接続されたコンセントボックスと、箱体の底壁に設けられた、「単相１００Ｖ一般」の差し込みプラグを有する下側ヒーターと、箱体の上方に位置するようにして床に載置されるやぐらと、やぐらの上部下面に設けられた、「単相１００Ｖ一般」の差し込みプラグを有する上側ヒーターとを有しており、前記コンセントボックスの内側面には２個のコンセントが設けられており、前記１つのコンセントに下側ヒーターの差し込みプラグが差し込まれるようになされ、他の１つのコンセントに上側ヒーターの差し込みプラグが差し込まれるようになされたものは知られている。
【０００３】
【従来技術の欠点】
前記従来の掘ごたつには以下の如き欠点があった。即ち、前記コンセントボックスに設けられたコンセントには、他の電気機器の差し込みプラグ（「単相１００Ｖ一般」の差し込みプラグ）をも差し込んで使用することが出来るものであったため、掘ごたつのコンセントを使用して使用者がそのコンセントの使用範囲を超えた大きな消費電力の電気機器を使用して危険であるという欠点があった。また、掘ごたつを使用する時は、下側ヒーター及び上側ヒーターは同時に使用されるにも拘らず、従来の掘ごたつにあっては、いずれか一方の差し込みプラグが差し込まれていれば、スイッチが「ＯＮ」状態か又はヒーターにスイッチがない場合には、当該差し込みプラグのヒーターに通電が行なわれ、即ち、使用者の使用意志に関係なくヒーターが通電状態となることがあり、危険であるという欠点があった。
【０００４】
【前記欠点を解消するための手段】
本発明は前記欠点を解消するために以下の如き手段を採用した。請求項１の発明は、部屋の床に形成された箱体用開口の周縁部に上縁が取り付けられた、上面が開放した箱体と、箱体に設けられた電源コードが接続された機器ボックスと、箱体の底壁に設けられた、差し込みプラグを有する下側ヒーターと、箱体の上方に位置するようにして床に載置されるやぐらと、やぐらの上部下面に設けられた、差し込みプラグを有する上側ヒーターとを有しており、前記機器ボックスの内側面には２個のコンセントが設けられており、前記１つのコンセントに下側ヒーターの差し込みプラグが差し込まれるようになされ、他の１つのコンセントに上側ヒーターの差し込みプラグが差し込まれるようになされ、前記差し込みプラグは３つの差し込み端子を有しており、両差し込みプラグをコンセントに同時に差し込んだ状態においてのみ、下側ヒーター及び上側ヒーターへの通電が可能となり、前記状態以外においては、下側ヒーター及び上側ヒーターの何れへも通電が不能となるようになされているものである。
【０００５】
【発明の作用】
請求項１の発明は以下の如き作用をなすものである。
下側ヒーターの差し込みプラグ及び上側ヒーターの差し込みプラグをコンセントに同時に差し込んだ状態においてのみ、下側ヒーター及び上側ヒーターへの通電が可能となるようになされているので、即ち、下側ヒーターの差し込みプラグ及び上側ヒーターの差し込みプラグ以外の他の電気機器の差し込みプラグをコンセントに差し込んでも、他の電気機器は使用出来ないので使用者の誤使用を防止することが出来る。また、一方の差し込みプラグをコンセントから外しておけば、差し込みプラグがコンセントに差し込まれているヒーターにも不用意に通電が行なわれるおそれもないので安全である。
【０００６】
【発明の実施の形態】
以下に本発明の実施の形態を図面を参照しつつ説明する。
部屋１の床板２に形成された箱体用開口３の周縁部に、上面開放で且つ平面形状矩形の箱体５の張り出し上縁６が載置・固定されている。箱体５は、底壁７と、４つの側壁８と、前記張り出し上縁６を有する断面Ｌ字状の枠９とを有している。
前記床板２の上面（箱体用開口３の周縁部を除く）には、畳１０が敷かれている。
【０００７】
前記１つの側壁８の下部の隅部（隣接する側壁８の近傍）に矩形の機器ボックス用開口１３が形成されており、この機器ボックス用開口１３を通じて箱体５内から大部分を外部に露出させるようにして、機器ボックス１４が機器ボックス用開口１３の周縁部に取り付けられている。
前記機器ボックス１４は、箱体５の内側に開口する開口１６及び開口１６の左右（左とは図４の左を、右とは図４の右をいう。）の縁部に張り出し片１７を有するケーシング１８と、このケーシング１８内に収納された４つのリレー１９、２０、２１、２２と、開口１６を閉じるかたちで張り出し片１７に当てられた取付板２５と、この取付板２５に取り付けられたメインスイッチ２６と、取付板２５に取り付けられた２つのコンセント２７、コンセント２８と、メインスイッチ２６、コンセント２７及びコンセント２８を箱体５の内側に露出させるための開口２９を有する化粧カバー３０とを有している。
【０００８】
前記ケーシング１８及び取付板２５は、それらに重なるようにして形成された左右２個づつの貫通孔を通じてねじ３１を箱体５にねじ込むことによって箱体５に固定されている（図４参照）。
前記化粧カバー３０は、図３に示すごとく、左右部に形成された２個づつの貫通孔（ねじ頭が嵌まる沈み孔ぐりを有する貫通孔）を通じてねじ３２を、取付板２５に形成されたねじ孔（図示略）にねじ嵌めることによって、取付板２５（究極的に箱体５）に固定されている。
前記メインスイッチ２６の操作部を含む機器ボックス１４全体の、側壁８の内面からの出っ張り量Ｌは２０ｍｍ以下となるようになされている。
【０００９】
前記ケーシング１８内に一対の接続端子３５が設けられ、これら接続端子３５に電源コード３６（外部の電線に接続されている）が接続されている。前記電源コード３６は、ケーシング１８に形成された開口３７を通じてケーシング１８内に引き入れられている。開口３７の周縁には弾性の環状体３８が嵌め止められている。
【００１０】
図５に示すごとく、前記コンセント２７は３つの受け端子２７ａ、２７ｂ、２７ｃを有しており、前記コンセント２８は３つの受け端子２８ａ、２８ｂ、２８ｃを有している。
【００１１】
前記箱体５の底壁７にはホットカーペット等からなる下側ヒーター４１が取り外し自在に載置され、この下側ヒーター４１にコード４２を介して差し込みプラグ４３が接続され、この差し込みプラグ４３は、３つの差し込み端子４３ａ、４３ｂ、４３ｃを有している。そして、差し込みプラグ４３はコンセント２７に差し込まれるようになされている。
【００１２】
前記床板２の箱体用開口３の周縁部には框枠４６が載置され、この框枠４６に４本の脚４８を有するやぐら４７が載せられ、このやぐら４７の上部下面に上部ヒーター５１が設けられ、この上部ヒーター５１にコード５２を介して差し込みプラグ５３が接続され、この差し込みプラグ５３は、３つの差し込み端子５３ａ、５３ｂ、５３ｃを有している。そして、差し込みプラグ５３はコンセント２８に差し込まれるようになされている。前記コード５２の途中には、上部ヒーター用スイッチ５５、温度調節器５６等を有する公知のコントローラー５７が介在させられている。
やぐら４７にはこたつ布団（図示略）が掛けられた後、その上に天板４９が載せられる。
【００１３】
前記下側ヒーター４１、上部ヒーター５１等の電気機器の結線状態を図５に示す。この図５において、リレー１９のａ接点が接点１９ａ、リレー２０のａ接点が接点２０ａ、リレー２１のａ接点が接点２１ａ、リレー２２のａ接点が接点２２ａである。
なお、図５では省略しているが、安全のための公知のヒューズ等が所要部所に結線されていることはいうまでもない。
【００１４】
図５の回路図から明らかなごとく、両差し込みプラグ４３、差し込みプラグ５３をコンセント２７、コンセント２８に差し込まない限り、全てのリレー１９、２０、２１、２２の接点１９ａ、２０ａ、２１ａ、２２ａが閉じないので、下側ヒーター４１及び上部ヒーター５１は通電可能状態、即ち、メインスイッチ２６を「ＯＮ」とすると共に上部ヒーター用スイッチ５５を「ＯＮ」としても、下側ヒーター４１及び上部ヒーター５１に通電が行なわれる状態にならない。
この説明から明らかなごとく、差し込みプラグ４３の差し込み端子４３ａ、４３ｃがリレー１９、２０用の差し込み端子となされ、差し込みプラグ５３の差し込み端子５３ａ、５３ｃがリレー２１、２２用の差し込み端子となされている。
【００１５】
図２に示すごとく、コンセント２７、２８に差し込みプラグ４３、５３を差し込んだ状態で、コンセント２７、２８を含んでの差し込みプラグ４３、５３の出っ張り量Ｍが、箱体５の側壁８内面より３０ｍｍ以下となされている。このように出っ張り量Ｍ及び出っ張り量Ｌが少ないので、箱体５内面の拭き掃除を行ないやすく、また、箱体５に入った人の脚がたとえ差し込みプラグ４３、差し込みプラグ５３に当たっても違和感や痛みを感じにくい。
【００１６】
【発明の実施の形態の施工方法】
次に発明の実施の形態の施工方法を説明する。
【００１７】
［第１工程］
部屋１の床板２に形成した箱体用開口３の周縁部に箱体５の張り出し上縁６を取り付ける。
【００１８】
［第２工程］
機器ボックス用開口１３から箱体５内に電源コード３６を引き出してその電源コード３６を機器ボックス１４の接続端子３５に接続する。
【００１９】
［第３工程］
機器ボックス１４を箱体５内から機器ボックス用開口１３を通じて外部に露出させて機器ボックス１４を機器ボックス用開口１３の周縁部に前記したごとくに取り付ける。
【００２０】
［第４工程］
その後、框枠４６を床板２の箱体用開口３の周縁部に載置した後、その框枠４６の上にやぐら４７を載せる。その後、差し込みプラグ４３、５３をコンセント２７、２８に差し込む。
【００２１】
【変形例等】
以下に変形例等について説明を加える。
（１）化粧カバー３０又は取付板２５のいずれか一方に所要個の係合突起を設け、同他方に係合突起に係合する係合凹所を設け、係合突起を係合凹所に係合させることによって、化粧カバー３０を取付板２５に取り付けるようにしてもよい。
（２）両差し込みプラグ４３、５３をコンセント２７、２８に同時に差し込んだ状態においてのみ、下側ヒーター４１及び上側ヒーター５１への通電が可能となるようにするための回路は実施の形態のものに限定されない。
【００２２】
【発明の効果】
本発明は前記した如き構成によって以下の如き効果を奏するものである。
請求項１及び２の発明によれば、下側ヒーターの差し込みプラグ及び上側ヒーターの差し込みプラグをコンセントに同時に差し込んだ状態においてのみ、下側ヒーター及び上側ヒーターへの通電が可能となるようになされているので、即ち、下側ヒーターの差し込みプラグ及び上側ヒーターの差し込みプラグ以外の他の電気機器の差し込みプラグをコンセントに差し込んでも、他の電気機器は使用出来ないので使用者の誤使用を防止することが出来る。また、一方の差し込みプラグをコンセントから外しておけば、差し込みプラグがコンセントに差し込まれているヒーターにも不用意に通電が行なわれるおそれもないので安全である。
【図面の簡単な説明】
【図１】本発明の実施の形態を示す縦断面図である。
【図２】図１のＡ部分の拡大断面図である。
【図３】図２のＩＩＩ−ＩＩＩ線矢視図である。
【図４】図４のＩＶ−ＩＶ線断面図である。
【図５】実施の形態の回路図である。
【符号の説明】
１  部屋
２  床板
３  箱体用開口
５  箱体
６  張り出し上縁
８  側壁
１３  機器ボックス用開口
１４  機器ボックス
３５  接続端子
３６  電源コード
４１  下側ヒーター
４３  差し込みプラグ
４７  やぐら
５１  上部ヒーター
５３  差し込みプラグ
【図１】
0003710018.tif 000002
【図２】
0003710018.tif 000003
【図３】
0003710018.tif 000004
【図４】
0003710018.tif 000005
【図５】
0003710018.tif 000006